(57)【要約】【課題】飲料缶から収納容器の取り外しが容易であり、台座部からカバー部を取り外すことも容易で、手で掴みやすく滑りにくい形状で経済的な収納容器を提供することにある。【解決手段】  景品付き収納容器１は、飲料缶２３の鍔部に下面が嵌合可能な台座１３と、その台座１３の上面に立設されて景品８を着脱可能に固定する固定部材９と、台座１３に上方から被着されて景品８ごと台座１３上を覆う透明カバー２とを備え、固定部材９を台座１３と別体に形成して、台座１３へ着脱可能に連結したことにある。【選択図】図２
2009091024.tif 000002
【特許請求の範囲】
【請求項１】
飲料缶の鍔部に下面が嵌合可能な台座と、その台座の上面に立設されて景品を着脱可能に固定する固定部材と、前記台座に上方から被着されて前記景品ごと前記台座上を覆う透明カバーとを備えてなる景品付き収納容器であって、
前記固定部材を前記台座と別体に形成して、前記台座へ着脱可能に連結したことを特徴とする景品付き収納容器。
【請求項２】
前記台座に係止孔を設ける一方、前記固定部材の下端に、前記係止孔へ挿脱可能で、差し込み状態で前記係止孔と弾性係止可能な一対の係止爪を形成して、前記係止孔と係止爪とにより前記固定部材を前記台座へ着脱可能に連結することを特徴とする請求項１に記載の景品付き収納容器。
【請求項３】
前記台座及び透明カバーは、両側面に互いに平行な面取部を夫々形成した平面視長円状であることを特徴とする請求項１又は２に記載の景品付き収納容器。
【請求項４】
前記台座の一方の側面側に凸部を、他方の側面側に前記凸部が嵌合可能な凹部を夫々設けて、複数の台座同士を前記凸部と凹部との嵌合によって互いに連結可能としたことを特徴とする請求項１乃至３の何れかに記載の景品付き収納容器。
【請求項５】
前記透明カバー内に、前記面取部の内面と所定間隔をおいて平行に形成され、前記内面との間で紙材を保持可能な保持部を設けたことを特徴とする請求項１乃至４の何れかに記載の景品付き収納容器。
【発明の詳細な説明】
【技術分野】
【０００１】
本発明は、飲料缶の上部に嵌合し、景品の収納を可能とする景品付き収納容器に関する。
【背景技術】
【０００２】
従来から引用文献１のように、円形の台座部とカバー部とで構成される収納容器で、飲料缶の上部と嵌合するものが知られている。
【０００３】
【特許文献１】実用新案登録第３１２９３１８号公報
【発明の開示】
【発明が解決しようとする課題】
【０００４】
しかしながら、従来の収納容器では、景品を台座部に固定する場合、台座部に直接突起部を設ける方法が一般的であるが、台座部と一体に形成されていることから、突起部が折れた場合に、台座部を交換する必要があり、経済的ではなかった。さらに、収納容器が円形で、飲料缶の周縁との嵌合が強固に行われ、飲料缶から収納容器の取り外しが容易ではなく、飲料物を飲むために手間がかかるといった問題があった。それに加え、円形の収納容器は台座部とカバーとで構成され、台座部とカバー部とが円形であることから、台座部の周縁部とカバーの周縁部との嵌合も強固に行われ、台座部からカバー部の取り外しが容易ではなく、収納容器の開封に手間がかかるといった問題があった。
また、円形状の収納容器は、手で掴みにくく、滑りやすい形状であることも、飲料缶から取り外しにくい原因の一つであった。
【０００５】
そこで、本発明は、上記収納容器の問題点を解消し、台座を交換する必要がなく、経済的で、飲料缶から収納容器の取り外しが容易であり、台座部からカバー部を取り外すことも容易で、手で掴みやすく滑りにくい形状の収納容器を提供することにある。
【課題を解決するための手段】
【０００６】
上記目的を達成するために、請求項１に記載の発明は、飲料缶の鍔部に下面が嵌合可能な台座と、その台座の上面に立設されて景品を着脱可能に固定する固定部材と、前記台座に上方から被着されて前記景品ごと前記台座上を覆う透明カバーとを備えてなる景品付き収納容器であって、
前記固定部材を前記台座と別体に形成して、前記台座へ着脱可能に連結したことにある。
【０００７】
請求項２に記載の発明は、前記台座に係止孔を設ける一方、前記固定部材の下端に、前記係止孔へ挿脱可能で、差し込み状態で前記係止孔と弾性係止可能な一対の係止爪を形成して、前記係止孔と係止爪とにより前記固定部材を前記台座へ着脱可能に連結することにある。
【０００８】
請求項３に記載の発明は、前記台座及び透明カバーは、両側面に互いに平行な面取部を夫々形成した平面視長円状であることにある。
【０００９】
請求項４に記載の発明は、前記台座の一方の側面側に凸部を、他方の側面側に前記凸部が嵌合可能な凹部を夫々設けて、複数の台座同士を前記凸部と凹部との嵌合によって互いに連結可能としたことにある。
【００１０】
請求項５に記載の発明は、前記透明カバー内に、前記面取部の内面と所定間隔をおいて平行に形成され、前記内面との間で紙材を保持可能な保持部を設けたことにある。
【発明の効果】
【００１１】
請求項１に記載の発明によれば、台座と固定部材とが一体に形成されている場合、固定部材が破損すると台座を交換しなければならないが、台座と固定部材とが別体であることにより、固定部材が破損した場合であっても、新しい固定部材に交換するだけで済み、台座を交換する必要がなく、経済的である。なお、固定部材が景品と一体に設けられている場合も、同様である。
【００１２】
請求項２に記載の発明によれば、台座と固定部材との嵌合・脱着が容易であることに加え、嵌合が強固であることと、景品と固定部材との嵌合・脱着が容易であるとともに、嵌合が強固であることによって、景品付き収納容器の落下や転動があっても、固定部材が台座から外れることがなく、また、景品が固定部材から外れることもない。
【００１３】
請求項３に記載の発明によれば、台座が円弧状となる平面視長円状の板材であることと、カバーが平面視長円状の筐体であることとによって、手で掴みやすく滑りにくい形状であるとともに、飲料缶から収納容器の取り外しが容易である。更に、台座からカバーを取り外すことも容易である。
【００１４】
請求項４に記載の発明によれば、景品付き収納容器１同士を連結することで、複数の景品８を連結して展示し、鑑賞することが可能となる。
【００１５】
請求項５に記載の発明によれば、透明カバーの内側で保持することで、外部からの影響を受けることがなく、視認可能である。
【発明を実施するための最良の形態】
【００１６】
以下、本発明の実施の形態を図面に基づいて説明する。
【００１７】
図１は、景品付き収納容器１を飲料缶２３に使用した状態の斜視図である。図２は、景品付き収納容器１の構成図である。図３は、台座１３の斜視図である。図４は、固定部材９の説明図である。図５は、透明カバー２の斜視図である。図６は、景品付き収納容器１の連結方法を示した説明図である。
【００１８】
図２（ａ）に示すように、景品付き収納容器１は、飲料缶２３の鍔部に下面が嵌合可能な台座１３と、その台座１３の上面に立設されて景品８を着脱可能に固定する固定部材９と、景品８の説明等が記載された紙材７と、台座１３に上方から被着されて景品８ごと台座１３上を覆う透明カバー２とで構成される。
この台座１３は、図３に示すように、平面視長円状の板材で、一方の側面側に凸部１４，１４を、他方の側面部にこの凸部１４，１４が嵌合可能な凹部１５，１５を夫々設けて、複数の台座１３同士をこの凸部１４，１４と凹部１５，１５との嵌合によって互いに連結可能としている。さらに、周縁には、透明カバー２に挿入する枠部２０と、透明カバー２の抜けを防止する係止凸部１９と、係止部２１と、透明カバー面取部３に当接する面取部１８とが設けられている。また、底面には、飲料缶２３の鍔部に嵌合可能とする円弧状の溝部１６，１６が凹設され、平面中央には、固定部材９の台座係止爪１０を嵌入可能とする嵌入孔１７が穿設されている。
【００１９】
透明カバー２は、図５に示すように、平面視長円状の筐体で、紙材７を透明カバー内壁とで保持する保持部６，６と、面取部１８に当接する透明カバー面取部３と、係止凸部１９と係止することで透明カバー２の抜けを防止する透明カバー内周凸部４と、枠部２０を逃がす透明カバー内周溝部５とで構成される。
【００２０】
固定部材９は、図４に示すように、台座１３の係止孔１７へ挿脱可能で、差し込み状態で係止孔１７と弾性係止可能な一対の係止爪１０，１０を形成して、この係止爪１０，１０と、それと対称に設けられ、景品に設けられている係止孔（図示せず）へ挿脱可能で、差し込み状態で係止孔１０と弾性係止可能な一対の景品係止爪１１，１１とで構成される。
【００２１】
景品付き収納容器１を組み立てるには、まず初めに、台座１３の係止孔１７に固定部材９の係止爪１０，１０を挿入し、この係止爪１０，１０が係止孔１７の周縁と係止することで台座１３と係止爪１０，１０が固定される。さらに、固定部材９の他方に設けられている景品係止爪１１，１１を景品に設けられている係止孔（図示せず）へ挿入し、景品係止爪１１，１１が係止孔の周縁と係止することで景品８が固定される。これによって、固定部材９を介して、台座１３と景品８とが固定される。それとは別に、透明カバー２の保持部６，６と透明カバー２の内周面との間に紙材７を挿入することで、この紙材７を保持させる。その後、透明カバー２の透明カバー面取部３に台座１３の枠部２０を挿入し、面取部１８がカバー面取部３に当接する位置まで押し込むことでカバー内周凸部４と係止凸部１９との係止が行われ、図２（ｂ）に示す景品付き収納容器１となる。そして、溝部１６，１６に飲料缶２３の鍔部を嵌合することで、図１に示した状態となる。
【００２２】
それ以外にも、図６（ａ）に示すように、景品付き収納容器１の凹部１５，１５に、他の景品付き収納容器１の凸部１４，１４を嵌合することで、景品付き収納容器１を並列に複数並べる事が可能となる（内部の紙材７，景品８，固定部材９は、省略）。
【００２３】
上記の如く、景品付き収納容器１は、飲料缶２３の鍔部に下面が嵌合可能な台座１３と、その台座１３の上面に立設されて景品８を着脱可能に固定する固定部材９と、台座１３に上方から被着されて景品８ごと台座１３上を覆う透明カバー２とを備え、固定部材９を台座１３と別体に形成して、台座１３へ着脱可能に連結したことにある。
その結果、台座１３と固定部材９とが一体に形成されている場合、固定部材９が破損すると台座１３を交換しなければならないが、台座１３と固定部材９とが別体であることにより、固定部材９が破損した場合であっても、新しい固定部材９に交換するだけで済み、台座１３を交換する必要がなく、経済的である。なお、固定部材９が景品８と一体に設けられている場合も、同様である。
【００２４】
また、台座１３に係止孔１７を設ける一方、固定部材９の下端に、係止孔１７へ挿脱可能で、差し込み状態で係止孔１７と弾性係止可能な一対の係止爪１０，１０を形成して、係止孔９と係止爪１０，１０とにより固定部材９を台座１３へ着脱可能に連結することにある。
その結果、台座１３と固定部材９との嵌合・脱着が容易であることに加え、嵌合が強固であることによって、景品付き収納容器１の落下や転動があっても、固定部材９が台座１３から外れることがなく、また、景品８が固定部材９から外れることもない。
【００２５】
さらに、台座１３及び透明カバー２は、両側面に互いに平行な面取部１８と透明カバー面取部３とを夫々形成した平面視長円状であることにある。
その結果、台座１３が円弧状となる平面視長円状の板材であることと、透明カバー２が平面視長円状の筐体であることとによって、手で掴みやすく滑りにくい形状であるとともに、飲料缶２３から収納容器の取り外しが容易である。更に、台座１３から透明カバー２を取り外すことも容易である。
【００２６】
台座１３の一方の側面側に凸部１４，１４を、他方の側面側に凸部１４，１４が嵌合可能な凹部１５，１５を夫々設けて、複数の台座１３同士を凸部１４，１４と凹部１５，１５との嵌合によって互いに連結可能としたことにある。その結果、景品付き収納容器１同士を連結することで、複数の景品８を連結して展示し、鑑賞することが可能となる。
【００２７】
透明カバー２内に、透明カバー面取部３の内面と所定間隔をおいて平行に形成され、内面との間で紙材７を保持可能な保持部６，６を設けたことにある。
その結果、透明カバー２の内側で保持することで、外部からの影響を受けることがなく、視認可能である。
【００２８】
なお、本発明の景品付き収納容器１の構成は、上記実施形態の態様に何ら限定されるものではなく、台座１３の形状、厚み、構造、凹凸の数、透明カバー２の形状、材質、構造等の構成を本発明の趣旨を逸脱しない範囲で必要に応じて適宜変更することができる。
【００２９】
例えば、係止爪１０は、台座１３と景品８とを固定しているが、景品８に係止爪１０，１０を設け、台座１３の係止孔１７に係止することで固定する方法に変更してもよい。なお、必ずしも係止爪である必要はなく、台座１３と景品８とが固定されるものであれば適宜変更することができる。
【００３０】
また、台座１３の溝部１６は、飲料缶２３と嵌合する構成であればよく、必ずしも円弧状である必要はなく、飲料缶から収納容器の取り外しが容易であれば適宜変更することができる。
【００３１】
他にも、台座１３の凸部１４と凹部１５との嵌合方法は、図６（ａ）に示す方法だけでなく、図６（ｂ）に示すように、景品付き収納容器１の凹部１５の一方に、他の景品付き収納容器１の凸部１４の一方を嵌合し、斜めに並べてもよく、上下に積層する等、適宜変更することができる。
【図面の簡単な説明】
【００３２】
【図１】景品付き収納容器１全体の構成斜視図を示したものである。
【図２】景品付き収納容器１の構成図を示したものである。
【図３】台座１３の斜視図を示したものである。
【図４】固定部材９の説明図を示したものである。
【図５】透明カバー２の斜視図を示したものである。
【図６】景品付き収納容器１の連結方法を示した説明図である。
【符号の説明】
【００３３】
１・・景品付き収納容器、２・・透明カバー、３・・透明カバー面取部、４・・透明カバー内周凸部、５・・透明カバー内周溝部、６・・保持部、７・・紙材、８・・景品、９・・固定部材、１０・・係止爪、１１・・景品係止爪、１３・・台座、１４・・凸部、１５・・凹部、１６・・溝部、１７・・係止孔、１８・・面取部、１９・・係止凸部、２０・・枠部、２１・・係止部、２３・・飲料缶。
【図１】
2009091024.tif 000003
【図２】
2009091024.tif 000004
【図３】
2009091024.tif 000005
【図４】
2009091024.tif 000006
【図５】
2009091024.tif 000007
【図６】
2009091024.tif 000008